(57)【要約】  【課題】ベントラインおよびリリーフ弁を省略可能な尿素噴射装置を提供する。  【解決手段】ＳＣＲシステム１０の排気管１１の酸化触媒部１２の下流側に設けられたＳＣＲ部１３に尿素水溶液を噴霧させる尿素噴射装置２０は、尿素水溶液を貯留するタンク２２と、尿素水溶液を加圧するポンプ２３と、エアコンプレッサ２４に接続されたエアリザーバ２５からの圧縮空気の圧力を制御する圧力制御弁２６と、尿素水溶液２１と圧縮空気とを混合し噴霧する噴霧器２７とを有する。ポンプ２３はＰＦＭ制御によって吐出流量を変更可能な液体用電磁ポンプによって構成する。吐出流量を調整できるので、尿素水溶液の余分な吐出流量が発生するのを抑止でき、ベントラインおよびリリーフ弁を省略できる。  【選択図】図１
2009052509.tif 000002
【特許請求の範囲】
【請求項１】
排気管の酸化触媒部の下流側に設けられたＳＣＲ部に尿素水溶液を噴霧する尿素噴射装置であって、
前記尿素水溶液の吐出流量をＰＦＭ制御によって変更する液体用電磁ポンプを備えていることを特徴とする尿素噴射装置。
【請求項２】
排気管の酸化触媒部の下流側に設けられたＳＣＲ部に尿素水溶液を噴霧する尿素噴射装置であって、
前記尿素水溶液の吐出圧を調整手段により変更する液体用電磁ポンプを備えていることを特徴とする尿素噴射装置。
【請求項３】
排気管の酸化触媒部の下流側に設けられたＳＣＲ部に尿素水溶液を噴霧する尿素噴射装置に使用する液体用電磁ポンプであって、
ソレノイドとポンプ部の間にダイヤフラムを備えていることを特徴とする液体用電磁ポンプ。
【請求項４】
排気管の酸化触媒部の下流側に設けられたＳＣＲ部に尿素水溶液を噴霧する尿素噴射装置に使用する液体用電磁ポンプであって、
吸入ポートおよび吐出ポートに連通したシリンダ室を有するシリンダと、
前記シリンダ室に摺動自在に嵌入されたピストンと、
前記シリンダとピストンとの間に形成されたポンプ室と、
前記ポンプ室を前記ピストンの往復動によって開閉する吸入弁および吐出弁と、
前記ピストンを往復動させる電磁石と、
前記電磁石を励消磁させる電気駆動装置と、
を備えていることを特徴とする液体用電磁ポンプ。
【発明の詳細な説明】
【技術分野】
【０００１】
本発明は、尿素噴射装置（Ｕｒｅａ  Ｄｏｓｉｎｇ  Ｓｙｓｔｅｍ）およびそれに使用する液体用電磁ポンプに関する。
例えば、自動車用ディーゼルエンジンの選択還元型ＮＯｘ触媒システムに利用して有効なものに関する。
【背景技術】
【０００２】
自動車用ディーゼルエンジンの排出ガス対策により、ＰＭ（Ｐａｒｔｉｃｕｌａｔｅ
Ｍａｔｔｅｒ）低減のために燃焼の最適化が図られ、この燃焼の最適化に伴って排出レベルが高まるＮＯｘ（窒素酸化物）を選択還元型ＮＯｘ触媒（Ｓｅｌｅｃｔｉｖｅ  Ｃａｔａｌｙｔｉｃ  Ｒｅｄｕｃｔｉｏｎ：ＳＣＲ）により後処理するＳＣＲシステムが、提案されている。
ＳＣＲシステムは、ＳＣＲの上流に尿素（ＣＯ（ＮＨ2 ）2 ）水溶液と圧縮空気との混合気を噴射することにより、ＮＯｘを窒素に還元するシステムである。
ＳＣＲシステムは酸化触媒部およびＳＣＲ部がエンジンの排気管に直列に配置されており、ＳＣＲ部には尿素噴射装置が設けられている。
【０００３】
尿素噴射装置は尿素水溶液を貯留するタンクと、尿素水溶液を加圧するポンプと、圧縮空気の圧力を制御する圧力制御弁と、尿素水溶液と圧縮空気とを混合し噴霧する噴霧器と、ポンプからの余分の尿素水溶液をタンクに戻すベントラインおよびリリーフ弁と、を備えている。
ＳＣＲシステムにおいては、ＮＯｘ、ＣＯ（酸化炭素）、炭化水素（ＨＣ）が酸化触媒部によって酸化処理される。
噴霧器からＳＣＲ部に噴霧された尿素水溶液は、アンモニア（ＮＨ3 ）と二酸化炭素（ＣＯ2 ）とに分解され、アンモニアがＮＯｘと化学反応して窒素（Ｎ2 ）と水（Ｈ2 Ｏ）とに変換される。
ＳＣＲシステムおよび尿素噴射装置を述べている例としては、特許文献１がある。
【特許文献１】特開２００６−３２１３６８号公報
【発明の開示】
【発明が解決しようとする課題】
【０００４】
しかしながら、前記した尿素噴射装置においては、尿素水溶液を加圧するポンプは噴霧器が作動していない場合でも作動し続けるために、ベントラインおよびリリーフ弁が必要になるという問題点がある。
【０００５】
本発明の目的は、ベントラインおよびリリーフ弁を省略することができる尿素噴射装置およびそれに使用する液体用電磁ポンプを提供することにある。
【課題を解決するための手段】
【０００６】
前記した課題を解決するための手段のうち代表的なものは、次の通りである。
排気管の酸化触媒部の下流側に設けられたＳＣＲ部に尿素水溶液を噴霧する尿素噴射装置であって、
前記尿素水溶液の吐出流量をＰＦＭ制御によって変更する液体用電磁ポンプを備えていることを特徴とする尿素噴射装置。
【発明の効果】
【０００７】
尿素水溶液を噴霧器に供給するポンプは、吐出流量を尿素噴射装置の設定するＰＦＭ制御によって制御し、また、噴霧器が作動停止し吐出圧力になった場合に、ピストンが自動的に作動を停止しポンプ作用しなくなるため、尿素水溶液の余分な吐出流量が発生するのを抑止することができる。
【発明を実施するための最良の形態】
【０００８】
以下、本発明の一実施の形態を図面に即して説明する。
【０００９】
本実施の形態において、本発明に係る尿素噴射装置は、図１に示されているように、自動車用ディーゼルエンジンのＳＣＲシステムに搭載されている。
すなわち、ＳＣＲシステム１０においては、ディーゼルエンジン（図示せず）の排気管１１には酸化触媒部１２およびＳＣＲ部１３が直列に配置されており、ＳＣＲ部１３には尿素噴射装置２０が設けられている。
尿素噴射装置２０は尿素水溶液２１を貯留するタンク２２と、尿素水溶液２１を加圧するポンプ２３と、エアコンプレッサ２４に接続されたエアリザーバ２５と、エアリザーバ２５からの圧縮空気の圧力を制御する圧力制御弁２６と、尿素水溶液２１と圧縮空気とを混合し噴霧する噴霧器２７と、を備えている。
尿素水溶液２１は強アルカリ性であるので、尿素水溶液２１を貯留するタンク２２や流通路は耐アルカリ性の材料によって形成されている。
【００１０】
また、尿素噴射装置２０はコントローラ２８を備えている。コントローラ２８には、タンク２２内の尿素水溶液２１の温度を検出する温度センサ２２ａやタンク２２内の尿素水溶液２１の液面レベルを検出する液面レベルセンサ２２ｂおよびＳＣＲ部１３の温度を検出する温度センサ２９等が、接続されている。
【００１１】
本実施の形態において、ポンプ２３は図２に示された液体用電磁ポンプが使用されており、ソレノイドによって駆動され、調整手段としての調整ボルト８７により吐出ポート３４の吐出圧力を変更可能に、また、ＰＦＭ（パルス幅一定、周期可変）制御によって吐出流量を変更可能に構成されている。
【００１２】
図２に示されているように、ポンプ２３はポンプ部３０とソレノイド６０とを備えており、ポンプ部３０とソレノイド６０とは同軸に配置されて固定されている。
ポンプ部３０の各構成部品はステンレス鋼のような耐アルカリ性の非磁性材料によってそれぞれ形成されており、ソレノイド６０の各構成部品は低炭素鋼のような磁性材料によってそれぞれ形成されている。
ポンプ部３０はケーシング３１を備えている。ケーシング３１には収容室３２が形成されているとともに、吸入ポート３３および吐出ポート３４が収容室３２の側面および底面にそれぞれ接続するように開設されている。
吸入ポート３３はタンク２２に接続されるようになっており、吐出ポート３４は噴霧器２７に接続されるようになっている。
【００１３】
収容室３２内にはシリンダ３５が収容されており、シリンダ３５の中心線上にはシリンダ室３６が形成されている。シリンダ室３６内にはピストン３７が摺動自在に嵌入されており、ピストン３７の中心線上には吸入路３８が形成されている。
シリンダ３５の吸入ポート３３と対向する部位には、第一連絡ポート３９がシリンダ室３６に連通するように開設されており、ピストン３７の第一連絡ポート３９と対向する部位には、第二連絡ポート４０が第一連絡ポート３９と吸入路３８とを連通させるように開設されている。
【００１４】
ピストン３７の吸入路３８内の下端部には吸入弁４１が設けられている。
図３に示されているように、吸入弁４１は弁室４２と、弁口４３を構成する弁座４４と、球形状の弁体４５と、弁体４５を弁座４４の方向に付勢する弁スプリング４６と、を備えている。
弁室４２は吸入路３８の内周面に円錐台の穴形状に一体的に形成されており、下端部である大径部には弁スプリング受け部４７が径方向内側に突設されている。
弁スプリング４６は弁室４２よりも小さい円錐台形状の圧縮コイルスプリング（渦巻きスプリング）によって形成されている。弁スプリング４６は圧縮変形された状態で、大径端が弁スプリング受け部４７に押接され、小径端が弁体４５に押接されている。
このように、円錐台穴形状の弁室４２を吸入路３８に一体的に形成するとともに、大径側端に弁スプリング受け部４７を突設することにより、弁室４２にストッパおよびストッパを保持する環状溝を形成せずに済むので、部品点数や加工工数および組付工数等を低減することができる。
【００１５】
シリンダ３５の下端部には吐出弁５１が設けられている。
図３に示されているように、吐出弁５１は弁室５２と、弁口５３を構成する弁座５４と、球形状の弁体５５と、弁体５５を弁座５４の方向に付勢する弁スプリング５６と、を備えている。
弁室５２はシリンダ室３６の内周面に円錐台の穴形状に一体的に形成されており、下端部である大径部には弁スプリング受け部５７が径方向内側に突設されている。
弁スプリング５６は弁室５２よりも小さい円錐台形状の圧縮コイルスプリングによって形成されている。弁スプリング５６は圧縮変形された状態で、大径端が弁スプリング受け部５７に押接され、小径端が弁体５５に押接されている。
このように、円錐台穴形状の弁室５２をシリンダ室３６に一体的に形成するとともに、大径側端に弁スプリング受け部５７を突設することにより、弁室５２にストッパおよびストッパを保持する環状溝を形成せずに済むので、部品点数や加工工数および組付工数等を低減することができる。
【００１６】
ポンプ室５８が吸入弁４１の弁体４５と吐出弁５１の弁体５５との間の空間によって構成されている。すなわち、吸入弁４１が開くことにより、尿素水溶液２１がポンプ室５８に吸入され、吐出弁５１が開くことにより、尿素水溶液２１がポンプ室５８から吐出される。
【００１７】
ソレノイド６０は耐アルカリ性の非磁性材料が使用されて略円板形状に形成された第一ブラケット６１を備えており、第一ブラケット６１はケーシング３１の上端面に没設された取付穴５９内にシールリング６２を挟んで当接されている。
第一ブラケット６１の上にはドーナツ形状部６３ａと円筒形状部６３ｂとを有する第二ブラケット６３が当接されており、第一ブラケット６１および第二ブラケット６３は押さえ板６４を介してボルト６５によって締結されている。
第一ブラケット６１と第二ブラケット６３との間には耐アルカリ性の弾性材料によって円板形状に形成されたダイヤフラム６６の周辺部が挟まれており、ダイヤフラム６６の中央部は第一押さえ６７と第二押さえ６８とによって挟まれている。第一ブラケット６１側の第一押さえ６７は耐アルカリ性の非磁性材料によって形成されている。
【００１８】
第二ブラケット６３のドーナツ形状部６３ａおよび円筒形状部６３ｂの中空部によって形成された作動空間６９には、第二ブラケット６３に径方向に開設された内側空気抜き孔７０の一端が接続されており、内側空気抜き孔７０の他端はケーシング３１に径方向に開設された外側空気抜き孔７１に連通されている。
【００１９】
押さえ板６４の上には非磁性材料が使用されて略円筒形状に形成されたハウジング７２が設置されており、ハウジング７２の中空部内には電磁石７３が収納されている。電磁石７３はコイルボビン７４にコイル線材７５が巻装されて構成されている。
電磁石７３のコイルボビン７４の中空部にはステータ７６の下端部が嵌入されている。ステータ７６は純鉄あるいは低炭素鋼等の磁性材料が使用されて、上端に鍔部７６ａを有する肉厚の円筒形状に形成されている。
ステータ７６は鍔部７６ａをハウジング７２に被せられたカバー７７によって押さえられ、カバー７７の下端フランジ部で押さえ板６４を挟んでケーシング３１の上端面に複数のボルト７８によって固定されている。
【００２０】
電磁石７３のコイルボビン７４の中空部の下端部内には、第二ブラケット６３の円筒形状部６３ｂが嵌入されている。コイルボビン７４の下端部内周と第二ブラケット６３の円筒形状部６３ｂの外周との間には、下側シールリング７９Ａが介設されており、コイルボビン７４の上端部内周とステータ７６の鍔部７６ａのコーナ部との間には、上側シールリング７９Ｂが介設されている。
コイルボビン７４の中空部内において第二ブラケット６３の円筒形状部６３ｂの上端には、円筒形状に形成されたウエアリング８０が印籠結合されており、ウエアリング８０の中空部内にはプランジャ８１が摺動自在に嵌入されている。
プランジャ８１は純鉄あるいは低炭素鋼等の磁性材料が使用されて、肉厚の円筒形状に形成されており、プランジャ８１は電磁石７３の電磁力によってステータ７６に吸引されるように構成されている。
【００２１】
プランジャ８１の中空部内の下部にはジョイントピン８２の上部が挿入されており、ジョイントピン８２は純鉄あるいは低炭素鋼等の磁性材料が使用されて、ボルト形状に形成されている。
ジョイントピン８２の下端部に形成された雄ねじ部８２ａは、第二押さえ６８、ダイヤフラム６６および第一押さえ６７を挿通して、ピストン３７の上端部に螺入されている。すなわち、ジョイントピン８２はピストン３７と一体的に移動する。
ジョイントピン８２の頭部８２ｂの下端縁辺部８２ｄは球形状に形成されており、プランジャ８１の内周面の中間部に突設された係合部８１ａに上側から当接されている。すなわち、プランジャ８１はピストン３７の中心線に対して傾動可能になっている。係合部８１ａの下端面と第二押さえ６８との間には圧縮スプリング８３が介設されており、圧縮スプリング８３はプランジャ８１をジョイントピン８２に常時係合させている。
【００２２】
プランジャ８１の中空部内の上部にはプッシュロッド８４の下部が余裕をもって挿入されており、ジョイントピン８２は純鉄あるいは低炭素鋼等の磁性材料が使用されて丸棒形状に形成されている。
プッシュロッド８４の下端部には半球形状のボールジョイント部８４ａが形成されており、ボールジョイント部８４ａはジョイントピン８２の頭部８２ｂの上端面に平面に形成されたスラスト受け面８２ｃに突き当てられている。ボールジョイント部８４ａが平面のスラスト受け面８２ｃに突き当てられているので、プッシュロッド８４はジョイントピン８２の中心線に対して傾斜可能になっている。
プッシュロッド８４の上部はステータ７６の筒中空部内に挿入されており、プッシュロッド８４の上端部は軸受８５を介してステータ７６に摺動自在に支承されている。
【００２３】
ステータ７６の上端面中央部には雌ねじ部材８６が配置されており、雌ねじ部材８６はカバー７７によって上から押さえられて固定されている。雌ねじ部材８６には調整ボルト８７が進退自在に螺入されており、調整ボルト８７はロックナット８８によって位置を固定されるようになっている。
ステータ７６の筒中空部の上端部にはガイド８９が形成されており、ガイド８９にはスプリングシート９０が進退自在に嵌入されており、スプリングシート９０は非磁性材料が使用されて二段円柱形状に形成されている。
スプリングシート９０の大径部の外周面に形成された収納溝には、ガイド８９の内周面とのクリアランスをシールするシールリング９１が介設されている。
ステータ７６の筒中空部内にはリターンスプリング９２が収容されており、リターンスプリング９２は調整ボルト８７に反力をとってプッシュロッド８４をピストン３７の方向に常時付勢するようになっている。
すなわち、プッシュロッド８４の上端部に没設された保持溝８４ｂにはストッパリング９３が保持されており、ストッパリング９３にはスプリングシート９４が上から係合されている。リターンスプリング９２は上側のスプリングシート９０と下側のスプリングシート９４との間に、圧縮（蓄力）した状態で介設されている。
【００２４】
一端部が電磁石７３のコイル線材７５に電気的に接続されたリード線９５の他端部は、ハウジング７２から引き出されて、図１に示された電気駆動装置９６に電気的に接続されている。
電気駆動装置９６はコントローラ２８からの指令信号を受けて、コイル線材７５を励磁および消磁するようになっている。
なお、ケーシング３１、弁体４５、５５、弁スプリング４６、５６、第一ブラケット６１、ダイヤフラム６６、シールリング６２、第一押さえ６７、ピストン３７、シリンダ３５、ジョイントピン８２は耐アルカリ性の材料であり、その他の部品（ソレノイド６０の部品）は、ダイヤフラム６６、シールリング６２により、尿素水溶液の浸入が防止されるため、必ずしも耐アルカリ性の材料を用いなくともよい。耐アルカリ性の材料を用いない場合は、コストを低く抑えることができる。
【００２５】
次に、前記構成に係る尿素噴射装置の作用を、ポンプの作用を中心に説明する。
【００２６】
電気駆動装置９６の駆動による電磁石７３の消磁状態においては、プッシュロッド８４がリターンスプリング９２によって付勢されることにより、ジョイントピン８２が押し下げられるため、ピストン３７はシリンダ室３６の下限に位置している。
電気駆動装置９６の駆動によって電磁石７３が励磁されると、プランジャ８１がステータ７６によって吸引されることにより、ジョイントピン８２がリターンスプリング９２の付勢力に抗して引き上げられるため、ピストン３７はシリンダ室３６の上限の位置に移動する。
このピストン３７の移動によってポンプ室５８が負圧になるために、吸入弁４１が開き、尿素水溶液２１が吸入ポート３３、第一連絡ポート３９、第二連絡ポート４０および吸入路３８を経由してポンプ室５８に吸入される。
続いて、電気駆動装置９６の駆動によって電磁石７３が消磁されると、ステータ７６によるプランジャ８１の吸引が解除されるため、プッシュロッド８４がリターンスプリング９２によって付勢されることにより、ピストン３７はジョイントピン８２を介して下限位置へ押し下げられる。
このピストン３７の下降によってポンプ室５８が正圧になるために、吐出弁５１が開き、尿素水溶液２１は吐出ポート３４から吐出される。
コントローラ２８による電気駆動装置９６に対するＰＦＭ制御により、以上の作動が繰り返されることにより、尿素水溶液２１の吐出流量が調整される。
【００２７】
ポンプ２３から吐出された尿素水溶液２１は噴霧器２７に供給される。
噴霧器２７に供給された尿素水溶液２１はエアリザーバ２５からの圧縮空気と混合され、噴霧器２７から排気管１１のＳＣＲ部１３に噴霧される。
噴霧器２７からＳＣＲ部１３に噴霧された尿素水溶液２１は、図１に示されているように、アンモニア（ＮＨ3 ）と二酸化炭素（ＣＯ2 ）とに分解される。
アンモニアは酸化触媒部１２からのＮＯｘと化学反応して窒素（Ｎ2 ）と水（Ｈ2 Ｏ）とに変換されるため、ＮＯｘは除去されたことになる。
【００２８】
ところで、噴霧器２７が停止する等して吐出ポート３４の圧力（吐出圧力）が設定値を越えた場合、吐出ポート３４の圧力により、ピストン３７が圧縮スプリング８３、リターンスプリング９２の付勢力に打ち勝って上昇したままとなり、電磁石７４が消磁してもピストン３７は下降しない。
したがって、ポンプ２３はポンプ作用を停止する。
吐出ポート３４の圧力が噴霧器２７の作動が再開される等して設定値以下となったとき、ピストン３７は電磁石７４が消磁すると、圧縮スプリング８３、リターンスプリング９２の付勢力により下降する。
したがって、ポンプ２３はポンプ作用を再開する。
吐出ポート３４の圧力（吐出圧力）の設定値は、調整手段としての調整ボルト８７を進退させることにより自在に設定することができる。
【００２９】
前記実施の形態によれば、次の効果が得られる。
（１）尿素水溶液を噴霧器に供給するポンプを、吐出流量をソレノイドに対するＰＦＭ制御によって変更可能な液体用電磁ポンプによって構成することにより、吐出流量をＰＦＭ制御によって調整することができるので、尿素水溶液の余分な吐出流量が発生するのを抑止することができる。
【００３０】
（２）尿素水溶液の余分な吐出流量が発生するのを抑制することにより、ベントラインおよびリリーフ弁を省略することができるので、ＳＣＲシステムを簡略化することができ、イニシャルコストおよびランニングコストを低減することができる。
【００３１】
（３）リターンスプリングの付勢力を調整ボルトによって調整可能に構成することにより、ポンプの吐出圧力を調整することができるので、噴霧器への尿素水溶液の添加圧力違いに対応することができる。
【００３２】
（４）ポンプ部とソレノイドとの間にダイヤフラムを介設することにより、強アルカリ性の尿素水溶液に接触する部品をポンプ部に限定することができるので、ソレノイドの部品は一般的な磁性材料によって構成することができる。
【００３３】
（５）プランジャとジョイントピンとの接触部を球状にすることにより、ピストンとプッシュロッドとの芯ずれによる作動不良の発生を防止することができるので、ポンプの品質および信頼性を高めることができる。
【００３４】
（６）吸入弁および吐出弁において、円錐台穴形状の弁室を形成するとともに、大径側端に弁スプリング受け部を突設することにより、弁室にストッパおよびストッパを保持する環状溝を形成せずに済むので、部品点数や加工工数および組付工数等を低減することができる。
【００３５】
なお、本発明は前記実施の形態に限定されるものではなく、その要旨を逸脱しない範囲で種々に変更が可能であることはいうまでもない。
【００３６】
例えば、尿素水溶液の余分な吐出流量をタンクに戻すためのベントラインおよびリリーフ弁は、省略するに限らず、設けてもよい。
また、圧力制御弁およびリザーバから圧力制御弁を介して噴霧器に接続する管路は、設けなくともよい。
【図面の簡単な説明】
【００３７】
【図１】本発明の一実施の形態であるＳＣＲシステムを示す模式図である。
【図２】本発明の一実施の形態であるポンプを示す縦断面図である。
【図３】その主要部を示す拡大断面図である。
【符号の説明】
【００３８】
１０…ＳＣＲシステム、１１…排気管、１２…酸化触媒部、１３…ＳＣＲ部、
２０…尿素噴射装置、２１…尿素水溶液、２２…タンク、２３…ポンプ、２４…エアコンプレッサ、２５…エアリザーバ、２６…圧力制御弁、２７…噴霧器、
２８…コントローラ、２９…温度センサ、
３０…ポンプ部、３１…ケーシング、３２…収容室、３３…吸入ポート、３４…吐出ポート、３５…シリンダ、３６…シリンダ室、３７…ピストン、３８…吸入路、３９…第一連絡ポート、４０…第二連絡ポート、
４１…吸入弁、４２…弁室、４３…弁口、４４…弁座、４５…弁体、４６…弁スプリング、４７…弁スプリング受け部、
５１…吐出弁、５２…弁室、５３…弁口、５４…弁座、５５…弁体、５６…弁スプリング、５７…弁スプリング受け部、５８…ポンプ室、５９…取付穴、
６０…ソレノイド、６１…第一ブラケット、６２…シールリング、６３…第二ブラケット、６４…押さえ板、６５…ボルト、６６…ダイヤフラム、６７…第一押さえ、６８…第二押さえ、
６９…作動空間、７０…内側空気抜き孔、７１…外側空気抜き孔、
７２…ハウジング、７３…電磁石、７４…コイルボビン、７５…コイル線材、
７６…ステータ、７７…カバー、７８…ボルト、７９Ａ…下側シールリング、７９Ｂ…上側シールリング、
８０…ウエアリング、８１…プランジャ、
８２…ジョイントピン、８３…圧縮スプリング、
８４…プッシュロッド、８４ａ…ボールジョイント部、８４ｂ…保持溝、８５…ニードルベアリング、
８６…雌ねじ部材、８７…調整ボルト、８８…ロックナット、８９…ガイド、
９０…スプリングシート、９１…シールリング、９２…リターンスプリング、９３…ストッパリング、９４…スプリングシート、
９５…リード線、９６…電気駆動装置。
【図１】
2009052509.tif 000003
【図２】
2009052509.tif 000004
【図３】
2009052509.tif 000005